【手続補正書】
【提出日】平成18年4月6日(2006.4.6)
【手続補正１】
【補正対象書類名】明細書
【補正対象項目名】特許請求の範囲
【補正方法】変更
【補正の内容】
【特許請求の範囲】
【請求項１】  高速回転可能な開繊ローラと、該開繊ローラの直ぐ上流側に配置されて、低速回転するフィードローラとディッシュプレートから成る少くとも１つの供給装置を含んで成り、前記ディッシュプレートが軸線を中心として回動可能な複数の個別ディッシュプレートから成り、上流のカードフィーダから取り出される繊維材料を下流の装置で加工するために木綿や化学繊維などから成る繊維塊フリースを形成するための装置において、
各々のディッシュプレート（７ａ〜７ｎ；１４ａ〜１４ｎ）がピボット軸受（２６ａ〜２６ｎ；４０ａ〜４０ｎ）を有していて、これらの複数のピボット軸受（２６ａ〜２６ｎ；４０ａ〜４０ｎ）が、機械の幅（ｂ）全体にわたって延びている共通の支承部材（２５、３３）に取り付けられていることを特徴とする装置。
【請求項２】  ディッシュプレート（７ａ〜７ｎ；１４ａ〜１４ｎ）とフィードローラ（６；１０）とが互いに独立に支承されており、ディッシュプレートの支承および／またはフィードローラ（６；１０）の支承が互いに対して変位可能である、請求項１記載の装置。
【請求項３】  支承部材が横木、桁（２５；３３）の如き長く伸びた支持部材である、請求項１または２記載の装置。
【請求項４】  支持部材（２５；３３）の端部が機枠のたとえば側壁（３９ａ、３９ｂ）に支承されている、請求項１から３までのいずれか１項記載の装置。
【請求項５】  支持部材（２５；３３）の支承要素（２５ａ、２５ｂ；３３ａ、３３ｂ）が変位可能である、請求項１から４までのいずれか１項記載の装置。
【請求項６】  支持部材（２５；３３）が曲げにくい部材である、請求項１から５までのいずれか１項記載の装置。
【請求項７】  支持部材（２５；３３）が中空成形材である、請求項１から６までのいずれか１項記載の装置。
【請求項８】  支持部材（２５；３３）の横断面が長方形または正方形である、請求項１から７までのいずれか１項記載の装置。
【請求項９】  支持部材（２５；３３）が鋼からなる、請求項１から８までのいずれか１項記載の装置。
【請求項１０】  支持部材（２５；３３）の慣性モーメントが垂直方向でほぼ等しい、請求項１から９までのいずれか１項記載の装置。
【請求項１１】  支持部材（２５；３３）の抵抗モーメントが近似している、請求項１から１０までのいずれか１項記載の装置。
【請求項１２】  個々のディッシュプレート（７ａ〜７ｎ；１４ａ〜１４ｎ）が、ばね（２７ａ〜２７ｎ；４２ａ〜４２ｎ）や空気圧要素などによって負荷されている、請求項１から１１までのいずれか１項記載の装置。
【請求項１３】  前記負荷されたすべての要素が支持部材（２５；３３）に支持されている、請求項１２記載の装置。
【請求項１４】  支持部材（２５；３３）および個別ディッシュプレートに複数のばねなどが付属しており、これらのばねなどが一方の端部では保持部材（３５；４１）に支持され、他方の端部ではそれぞれ１つの個別ディッシュプレート（７ａ〜７ｎ；１４ａ〜１４ｎ）に支持されている、請求項１から１３までのいずれか１項記載の装置。
【請求項１５】  各々の個別ディッシュプレートが片側で回転可能に（Ｆ；Ｇ；Ｋ、Ｌ）支承されている（２６ａ〜２６ｎ；４０ａ〜４０ｎ）、請求項１から１４までのいずれか１項記載の装置。
【請求項１６】  個別ディッシュプレート（７ａ〜７ｎ；１４ａ〜１４ｎ）のピボット軸受（２６ａ〜２６ｎ；４０ａ〜４０ｎ）が支持部材（２５；３３）に取り付けられている、請求項１から１５までのいずれか１項記載の装置。
【請求項１７】  ピボット軸受（２６ａ〜２６ｎ；４０ａ〜４０ｎ）が支持部材（２５；３３）の近傍に配置されている、請求項１から１６までのいずれか１項記載の装置。
【請求項１８】  ばね（２７；４２）などのための保持部材（３６；４３）が存在している、請求項１から１７までのいずれか１項記載の装置。
【請求項１９】  各々の個別ディッシュプレート（７ａ〜７ｎ；１４ａ〜１４ｎ）が個々の保持部材に取り付けられている、請求項１から１８までのいずれか１項記載の装置。
【請求項２０】  ばね（２７；４２）および個別ディッシュプレート（７；１４）のピボット軸受（２６；４０）が支持部材（２５；３３）の角隅の近傍に配置されている、請求項１から１９までのいずれか１項記載の装置。
【請求項２１】  ディッシュプレート（７ａ〜７ｎ；１４ａ〜１４ｎ）とフィードローラ（６；１０）との間の押圧力が概ね等しい請求項１から２０までのいずれか１項記載の装置。
【請求項２２】  個別ディッシュプレート（７ａ〜７ｎ；１４ａ〜１４ｎ）の回転行程を制限するための少なくとも１つのストッパ（２９；４６、４７、４８）が存在している、請求項１から２１までのいずれか１項記載の装置。
【請求項２３】  ストッパ（２９；４６、４７、４８）が支持部材（２５；３３）に対して位置固定されている、請求項２２記載の装置。
【請求項２４】  個別ディッシュプレート（７ａ〜７ｎ；１４ａ〜１４ｎ）がアルミニウムやアルミニウム合金などの押出成形材からなる、請求項１から２３までのいずれか１項記載の装置。
【請求項２５】  各々の個別ディッシュプレート（７ａ〜７ｎ；１４ａ〜１４ｎ）の繊維材料に向けられた面が耐摩耗性を有するように形成されている、請求項１から２４までのいずれか１項記載の装置。
【請求項２６】  ディッシュプレート面にステンレス鋼の如き薄板が付属している、請求項１から２５までのいずれか１項記載の装置。
【請求項２７】  ディッシュプレート面がめっきされている、請求項１から２６までのいずれか１項記載の装置。
【請求項２８】  薄板がディッシュプレート面と接着などによって結合されている、請求項２６記載の装置。
【請求項２９】  繊維材料を加工するために下流に配置された装置がフィードボックス（９）である、請求項１から２８までのいずれか１項記載の装置。
【請求項３０】  繊維材料を加工するために下流に配置された装置がカード（１）である、請求項１から２８までのいずれか１項記載の装置。
【請求項３１】  フィードローラ（６；１０）がドローオフローラとして働いて上流に配置されたカードフィーダ（２；９）から繊維材料を引き取る、請求項１から３０までのいずれか１項記載の装置。
【請求項３２】  開繊ローラ（８；１５）が下流に配置された繊維材料を加工するための装置（９；１）に繊維材料を供給する、請求項１から３１までのいずれか１項記載の装置。
【請求項３３】  開繊ローラがカード（１）のブレストローラ（１５）である、請求項１から３２までのいずれか１項記載の装置。
【請求項３４】  ブレストローラ（１５）の下流に別のブレストローラ（１６）が配置されている、請求項３３記載の装置。
【請求項３５】  フィードローラ（６；１０）が機枠（３９ａ、３９ｂ）に固定されている、請求項１から３４までのいずれか１項記載の装置。
【請求項３６】  単数または複数のカードフィーダ（２；９）が機枠（３９ａ、３９ｂ）に固定されている、請求項１から３５までのいずれか１項記載の装置。
【請求項３７】  支持部材（２５；３３）がカードフィーダ（２；９）の外部に存在している、請求項１から３６までのいずれか１項記載の装置。
【請求項３８】  各々の個別ディッシュプレート（７ａ〜７ｎ；１４ａ〜１４ｎ）に繊維材料密度を求めるための測定部材（２７ａ〜２７ｎ；４５ａ〜４５ｎ）が付属しており、この測定部材（２７ａ〜２７ｎ；４５ａ〜４５ｎ）が制御調節装置（３８）を介して調節部材（３１ａ〜３１ｎ；３４ａ〜３４ｎ）によってカードフィーダ（２；９）の幅（ｂ）全体にわたって繊維量を変更するために用いられる、請求項１から３７までのいずれか１項記載の装置。
【請求項３９】  ラップを供給されるカード（１）が設けられている、請求項１から３８までのいずれか１項記載の装置。
【請求項４０】  カードフィーダ（２；９）の幅が２．５ｍ以上である、請求項１から３９までのいずれか１項記載の装置。